(57)【要約】【課題】冷却風により高い効率で液晶表示パネルを冷却するための構成を備える電気光学装置、及びプロジェクターを提供すること。【解決手段】液晶層を挟持する第１基板である対向基板１１及び第２基板であるＴＦＴ基板１２と、第１基板へ入射する光を透過させる入射側基板である入射側防塵ガラス１３と、第２基板から射出した光を透過させる射出側基板である射出側防塵ガラス１４と、を備える液晶表示パネル１０を有し、入射側基板の射出面である第２面３２に接合され、液晶表示パネル１０を冷却するための冷却風が流動する入射側冷却用ダクト２１を入射側基板とともに構成する入射側ダクト構成部材２３と、射出側基板の入射面である第１面３３に接合され、液晶表示パネル１０を冷却するための冷却風が流動する射出側冷却用ダクト２２を射出側基板とともに構成する射出側ダクト構成部材２４と、の少なくとも一方を有する。【選択図】図２
2010286753.tif 000002
【特許請求の範囲】
【請求項１】
液晶層を挟持する第１基板及び第２基板と、
前記第１基板に接合され、前記第１基板へ入射する光を透過させる入射側基板と、
前記第２基板に接合され、前記第２基板から射出した光を透過させる射出側基板と、を備える液晶表示パネルを有し、
前記入射側基板は、光が入射する側の入射面と、前記第１基板側へ光を射出させる側の射出面と、を備え、
前記射出側基板は、前記第２基板から射出された光が入射する側の入射面と、光を射出させる側の射出面と、を備え、
前記入射側基板の前記射出面に接合され、前記液晶表示パネルを冷却するための冷却風が流動する冷却用ダクトを前記入射側基板とともに構成する入射側ダクト構成部材と、
前記射出側基板の前記入射面に接合され、前記液晶表示パネルを冷却するための冷却風が流動する冷却用ダクトを前記射出側基板とともに構成する射出側ダクト構成部材と、の少なくとも一方を有することを特徴とする電気光学装置。
【請求項２】
前記入射側基板の前記射出面が、第１方向と、前記第１方向に略垂直な第２方向と、に略平行であって、
前記入射側基板は、前記第１方向及び前記第２方向の少なくとも一方について、前記第１基板より大きいことを特徴とする請求項１に記載の電気光学装置。
【請求項３】
前記入射側基板の前記射出面は、前記第１方向に平行な第１辺と、前記第２方向に平行な第２辺と、を備え、
前記入射側ダクト構成部材は、前記射出面のうち前記第１辺の近傍及び前記第２辺の近傍の少なくとも一部に接合されることを特徴とする請求項２に記載の電気光学装置。
【請求項４】
前記射出側基板の前記入射面が、第１方向と、前記第１方向に略垂直な第２方向と、に略平行であって、
前記射出側基板は、前記第１方向及び前記第２方向の少なくとも一方について、前記第２基板より大きいことを特徴とする請求項１から３のいずれか一項に記載の電気光学装置。
【請求項５】
前記射出側基板の前記入射面は、前記第１方向に平行な第１辺と、前記第２方向に平行な第２辺と、を備え、
前記射出側ダクト構成部材は、前記入射面のうち前記第１辺の近傍及び前記第２辺の近傍の少なくとも一部に接合されることを特徴とする請求項４に記載の電気光学装置。
【請求項６】
前記入射側基板に対向させて設けられた入射側偏光板を有し、
前記入射側偏光板は、前記入射側ダクト構成部材及び前記入射側基板とともに前記冷却用ダクトを構成することを特徴とする請求項１から５のいずれか一項に記載の電気光学装置。
【請求項７】
前記射出側基板に対向させて設けられた射出側偏光板を有し、
前記射出側偏光板は、前記射出側ダクト構成部材及び前記射出側基板とともに前記冷却用ダクトを構成することを特徴とする請求項１から６のいずれか一項に記載の電気光学装置。
【請求項８】
光を射出させる光源部と、
前記光源部から射出された光を画像信号に応じて変調する請求項１から７のいずれか一項に記載の電気光学装置と、
前記冷却用ダクトを流動させる前記冷却風を供給する冷却風供給部と、を有することを特徴とするプロジェクター。
【請求項９】
複数の前記電気光学装置と、
前記電気光学装置の前記冷却用ダクト同士を結合させるダクト結合部と、を有することを特徴とする請求項８に記載のプロジェクター。
【発明の詳細な説明】
【技術分野】
【０００１】
本発明は、電気光学装置及びプロジェクター、特に、光を画像信号に応じて変調する電気光学装置に関する。
【背景技術】
【０００２】
従来、プロジェクターは、投写性能の向上や小型化を目的とする開発が進められている。プロジェクターとしては、例えば、赤色（Ｒ）光用、緑色（Ｇ）光用、青色（Ｂ）光用の各透過型液晶表示パネルを備えるプロジェクターが広く普及している。液晶表示パネルは、照明光の吸収によって発熱する。液晶表示パネルの放熱には、例えば、空気を流動させるファンが用いられている。
【０００３】
ファンを用いる構成としては、例えば、各液晶表示パネルを配置する部分の下にダクトの開口を設け、開口から冷却風を噴出させるものがある。冷却風は、開口から液晶表示パネルの表面へ供給される。ファンを備えるプロジェクターは、静音化のために、少ない風量で効率良い冷却を可能とすることが望まれている。例えば、特許文献１には、液晶表示パネルへ向けられた開口から冷却風を送るための導風部材を設ける技術が提案されている。
【先行技術文献】
【特許文献】
【０００４】
【特許文献１】特開２００６−８４８１７号公報
【発明の概要】
【発明が解決しようとする課題】
【０００５】
液晶表示パネルに向けて設けられたダクトの開口から冷却風を噴出させる場合、液晶表示パネルに対するダクトの配置によっては、液晶表示パネルの表面へ到達せずに通過する冷却風が多くなる場合がある。液晶表示パネルの表面へ到達せずに通過する冷却風が多くなると、液晶表示パネルの効率的な冷却が困難になる。本発明は、上述に鑑みてなされたものであり、冷却風により高い効率で液晶表示パネルを冷却するための構成を備える電気光学装置、及びプロジェクターを提供することを目的とする。
【課題を解決するための手段】
【０００６】
上述した課題を解決し、目的を達成するために、本発明に係る電気光学装置は、液晶層を挟持する第１基板及び第２基板と、前記第１基板に接合され、前記第１基板へ入射する光を透過させる入射側基板と、前記第２基板に接合され、前記第２基板から射出した光を透過させる射出側基板と、を備える液晶表示パネルを有し、前記入射側基板は、光が入射する側の入射面と、前記第１基板側へ光を射出させる側の射出面と、を備え、前記射出側基板は、前記第２基板から射出された光が入射する側の入射面と、光を射出させる側の射出面と、を備え、前記入射側基板の前記射出面に接合され、前記液晶表示パネルを冷却するための冷却風が流動する冷却用ダクトを前記入射側基板とともに構成する入射側ダクト構成部材と、前記射出側基板の前記入射面に接合され、前記液晶表示パネルを冷却するための冷却風が流動する冷却用ダクトを前記射出側基板とともに構成する射出側ダクト構成部材と、の少なくとも一方を有することを特徴とする。
【０００７】
入射側基板と、入射側ダクト構成部材とで冷却用ダクトを構成する場合に、入射側基板の射出面に入射側ダクト構成部材を接合することで、冷却用ダクトの内側に入射側基板を突出させることができる。また、液晶表示パネルの熱源から冷却用ダクトへの伝熱経路を短くできる。これらにより、液晶表示パネルのうち入射側基板側における効率的な放熱が可能となる。また、射出側基板と、射出側ダクト構成部材とで冷却用ダクトを構成する場合に、射出側基板の入射面に射出側ダクト構成部材を接合することで、冷却用ダクトの内部に射出側基板を突出させる。また、液晶表示パネルの熱源から冷却用ダクトへの伝熱経路を短くできる。これらにより、液晶表示パネルのうち射出側基板側における効率的な放熱が可能となる。以上から、液晶表示パネルを高い効率で冷却させることができる。
【０００８】
また、本発明の好ましい態様としては、前記入射側基板の前記射出面が、第１方向と、前記第１方向に略垂直な第２方向と、に略平行であって、前記入射側基板は、前記第１方向及び前記第２方向の少なくとも一方について、前記第１基板より大きいことが望ましい。これにより、入射側基板の射出面に入射側ダクト構成部材を接合させる構成にできる。
【０００９】
また、本発明の好ましい態様としては、前記入射側基板の前記射出面は、前記第１方向に平行な第１辺と、前記第２方向に平行な第２辺と、を備え、前記入射側ダクト構成部材は、前記射出面のうち前記第１辺の近傍及び前記第２辺の近傍の少なくとも一部に接合されることが望ましい。これにより、入射側基板の第１辺近傍と第２辺近傍との少なくとも一部から入射側ダクト構成部材へ熱を伝播させ、冷却用ダクトによる効率的な放熱が可能となる。
【００１０】
また、本発明の好ましい態様としては、前記射出側基板の前記入射面が、第１方向と、前記第１方向に略垂直な第２方向と、に略平行であって、前記射出側基板は、前記第１方向及び前記第２方向の少なくとも一方について、前記第２基板より大きいことが望ましい。これにより、射出側基板の入射面に入射側ダクト構成部材を接合させる構成にできる。
【００１１】
また、本発明の好ましい態様としては、前記射出側基板の前記入射面は、前記第１方向に平行な第１辺と、前記第２方向に平行な第２辺と、を備え、前記射出側ダクト構成部材は、前記入射面のうち前記第１辺の近傍及び前記第２辺の近傍の少なくとも一部に接合されることが望ましい。これにより、射出側基板の第１辺近傍と第２辺近傍との少なくとも一部から射出側ダクト構成部材へ熱を伝播させ、冷却用ダクトによる効率的な放熱が可能となる。
【００１２】
また、本発明の好ましい態様としては、前記入射側基板に対向させて設けられた入射側偏光板を有し、前記入射側偏光板は、前記入射側ダクト構成部材及び前記入射側基板とともに前記冷却用ダクトを構成することが望ましい。これにより、冷却用ダクトを流動する冷却風による入射側偏光板の効率的な冷却が可能となる。
【００１３】
また、本発明の好ましい態様としては、前記射出側基板に対向させて設けられた射出側偏光板を有し、前記射出側偏光板は、前記射出側ダクト構成部材及び前記射出側基板とともに前記冷却用ダクトを構成することが望ましい。これにより、冷却用ダクトを流動する冷却風による射出側偏光板の効率的な冷却が可能となる。
【００１４】
さらに、本発明に係るプロジェクターは、光を射出させる光源部と、前記光源部から射出された光を画像信号に応じて変調する上記の電気光学装置と、前記冷却用ダクトを流動させる前記冷却風を供給する冷却風供給部と、を有することを特徴とする。上記の電気光学装置を用いることにより、冷却用ダクトを流動する冷却風による液晶表示パネルの効率的な冷却を可能とする。液晶表示パネルの効率的な冷却により、液晶表示パネルの劣化を低減させる。また、効率的な冷却を可能とすることで、流動させる冷却風の風量を少なくできる。例えば、冷却風供給部として用いられるファンの駆動音を少なくすることが可能となる。これにより、静音性に優れ、かつ高い信頼性のプロジェクターを得られる。
【００１５】
また、本発明の好ましい態様としては、複数の前記電気光学装置と、前記電気光学装置の前記冷却用ダクト同士を結合させるダクト結合部と、を有することが望ましい。これにより、共通の流路で冷却風を流動させることにより、複数の電気光学装置を冷却することができる。また、ダクト結合部を介した放熱も可能となる。
【図面の簡単な説明】
【００１６】
【図１】実施例１に係る電気光学装置の斜視図である。
【図２】図１に示す電気光学装置のＡＡ断面図である。
【図３】対向基板と入射側防塵ガラスとを展開して示した斜視図である。
【図４】ＴＦＴ基板と射出側防塵ガラスとを展開して示した斜視図である。
【図５】電気光学装置を展開して示した斜視図である。
【図６】実施例２に係るプロジェクターの概略構成図である。
【図７】各色光用電気光学装置を冷却させるための冷却構造の平面概略構成図である。
【発明を実施するための形態】
【００１７】
以下に図面を参照して、本発明の実施例を詳細に説明する。
【実施例１】
【００１８】
図１は、本発明の実施例１に係る電気光学装置１の斜視図である。図２は、図１に示す電気光学装置１のＡＡ断面図である。透過型液晶表示装置である電気光学装置１は、光を透過させる液晶表示パネル１０を備える。図中、液晶表示パネル１０の照射面に垂直な方向の軸をＸ軸とする。Ｙ軸はＸ軸に垂直な軸とする。Ｚ軸はＸ軸及びＹ軸に垂直な軸とする。図２に示すＡＡ断面は、液晶表示パネル１０の照射領域の中心を含むＸＺ断面である。
【００１９】
液晶表示パネル１０は、対向基板１１、ＴＦＴ（Thin  Film  Transistor）基板１２、入射側防塵ガラス１３、射出側防塵ガラス１４を備える。第１基板として機能する対向基板１１は、ＴＦＴ基板１２に対向させて設けられている。対向基板１１は、対向電極を有する。第２基板として機能するＴＦＴ基板１２は、ＴＦＴ素子を有する。対向基板１１及びＴＦＴ基板１２は、液晶層（図示省略）を挟持する。液晶層は、対向基板１１及びＴＦＴ基板１２により密閉封入されている。
【００２０】
入射側基板として機能する入射側防塵ガラス１３は、対向基板１１へ入射する光を透過させる。入射側防塵ガラス１３は、光が入射する側の入射面である第１面３１と、対向基板１１側へ光を射出させる側の射出面である第２面３２と、を備える。入射側防塵ガラス１３は、第２面３２を対向基板１１に接合させて設けられている。入射側防塵ガラス１３は、第２面３２がＹ軸及びＺ軸に平行となるように配置されている。射出側基板として機能する射出側防塵ガラス１４は、ＴＦＴ基板１２から射出した光を透過させる。射出側防塵ガラス１４は、ＴＦＴ基板１２から射出した光が入射する側の入射面である第１面３３と、光を射出させる側の射出面である第２面３４と、を備える。射出側防塵ガラス１４は、第１面３３をＴＦＴ基板１２に接合させて設けられている。射出側防塵ガラス１４は、第１面３３がＹ軸及びＺ軸に平行となるように配置されている。対向基板１１、ＴＦＴ基板１２、入射側防塵ガラス１３、射出側防塵ガラス１４は、例えば、石英部材を用いて構成されている。
【００２１】
フレキシブル基板１５は、液晶表示パネル１０の外部接続端子である。フレキシブル基板１５は、液晶表示パネル１０からＺ軸方向へ延伸させて設けられている。入射側偏光板１６は、入射側防塵ガラス１３の第１面３１に対向させて設けられている。入射側偏光板１６は、特定の偏光方向の偏光を透過させる。液晶表示パネル１０は、入射側偏光板１６からの偏光の偏光方向を、画像信号に応じて変化させる。射出側偏光板１７は、射出側防塵ガラス１４の第２面３４に対向させて設けられている。射出側偏光板１７は、液晶表示パネル１０で偏光方向が変換された偏光を透過させる。入射側偏光板１６及び射出側偏光板１７は、互いに偏光軸が垂直となるように配置される。
【００２２】
入射側冷却用ダクト２１は、入射側ダクト構成部材２３と、入射側防塵ガラス１３と、入射側偏光板１６とを組み合わせて構成されている。入射側冷却用ダクト２１は、入射側防塵ガラス１３及び入射側偏光板１６の間の空間を冷却風が流動する冷却用ダクトである。入射側ダクト構成部材２３は、入射側防塵ガラス１３の第２面３２に接合されている。射出側冷却用ダクト２２は、射出側ダクト構成部材２４と、射出側防塵ガラス１４と、射出側偏光板１７とを組み合わせて構成されている。射出側冷却用ダクト２２は、射出側防塵ガラス１４及び射出側偏光板１７の間の空間を冷却風が流動する冷却用ダクトである。射出側ダクト構成部材２４は、射出側防塵ガラス１４の第２面３４に接合されている。
【００２３】
図３は、対向基板１１と入射側防塵ガラス１３とを展開して示した斜視図である。図４は、ＴＦＴ基板１２と射出側防塵ガラス１４とを展開して示した斜視図である。図５は、電気光学装置１を展開して示した斜視図である。入射側ダクト構成部材２３（図１参照）は、図５に示す第１構造体４１と第２構造体４２とを組み合わせて構成されている。第１構造体４１、第２構造体４２のいずれも、ＸＺ断面がＵの字型をなすように２枚の側板と１枚の底板とを組み合わせたような形状をなしている。かかる形状の第１構造体４１と第２構造体４２とをＺ軸方向について接合させることにより、Ｙ軸方向へ冷却風が流動する流路が構成される。第１構造体４１と第２構造体４２とにより入射側ダクト構成部材２３を構成することで、入射側冷却用ダクト２１（図１参照）の内側に入射側防塵ガラス１３が配置された構成の組み立てを容易にできる。
【００２４】
第１構造体４１及び第２構造体４２には、それぞれ矩形の切り欠き部２５が設けられている。切り欠き部２５が形成された第１構造体４１と第２構造体４２とを組み合わせることにより、入射側冷却用ダクト２１のうち入射側偏光板１６側と入射側防塵ガラス１３側とに、光を通過させる矩形の開口が形成される。入射側偏光板１６及び入射側防塵ガラス１３は、切り欠き部２５を合わせることにより構成される開口を塞ぐように配置される。なお、入射側ダクト構成部材２３は、本実施例で説明する構成であるに限られず、適宜変形しても良い。入射側ダクト構成部材２３は、例えば、二つの構造体をＹ軸方向について接合させたものとしても良い。また、入射側ダクト構成部材２３は、二つの構造体を組み合わせてなるものである他、三つ以上の構造体を組み合わせてなるものであっても良い。
【００２５】
射出側ダクト構成部材２４（図１参照）も、入射側ダクト構成部材２３と同様、図５に示す第１構造体４３と第２構造体４４とを組み合わせて構成されている。第１構造体４３及び第２構造体４４とは、入射側ダクト構成部材２３を構成する第１構造体４１及び第２構造体４２と同様の形状をなしている。第１構造体４３と第２構造体４４とをＺ軸方向について接合させることにより、Ｙ軸方向へ冷却風が流動する流路が構成される。第１構造体４３と第２構造体４４とにより射出側ダクト構成部材２４を構成することで、射出側冷却用ダクト２２（図１参照）の内側に射出側防塵ガラス１４が配置された構成の組み立てを容易にできる。
【００２６】
また、第１構造体４３及び第２構造体４４には、それぞれ矩形の切り欠き部２６が設けられている。切り欠き部２６が形成された第１構造体４３と第２構造体４４とを組み合わせることにより、射出側冷却用ダクト２２のうち射出側防塵ガラス１４側と射出側偏光板１７側とに、光を通過させる矩形の開口が形成される。射出側防塵ガラス１４及び射出側偏光板１７は、切り欠き部２６を合わせることにより構成される開口を塞ぐように配置される。なお、射出側ダクト構成部材２４も、入射側ダクト構成部材２３と同様、適宜変形しても良い。
【００２７】
図３に示すように、入射側防塵ガラス１３の第２面３２は、Ｙ軸に平行な二つの第１辺３５と、Ｚ軸に平行な二つの第２辺３６とからなる矩形形状をなしている。Ｙ軸方向を第１方向とすると、Ｚ軸方向は、第１方向に垂直な第２方向である。第２面３２は、Ｙ軸方向及びＺ軸方向のいずれについても対向基板１１よりも大きい矩形形状をなしている。そのため、図中破線で示すように第２面３２に対向基板１１を接合させると、第２面３２のうち対向基板１１の周囲には、第１辺３５沿い及び第２辺３６沿いに、ある程度の幅を持たせた領域が残る。かかる領域には、入射側ダクト構成部材２３のうち、切り欠き部２５からなる開口の周囲の部分が接合される。このように、入射側ダクト構成部材２３は、入射側防塵ガラス１３の第２面３２のうち、第１辺３５の近傍及び第２辺３６の近傍に接合される。入射側ダクト構成部材２３と入射側防塵ガラス１３とは、互いの密着性を高めるために、例えば熱伝導グリスや熱伝導シート等を介して接合されることとしても良い。
【００２８】
なお、入射側ダクト構成部材２３は、第１辺３５の近傍及び第２辺３６の近傍のうちの少なくとも一部において第２面３２に接合されていれば良い。第２面３２は、Ｙ軸方向及びＺ軸方向の少なくとも一方について対向基板１１よりも大きい形状であれば、入射側ダクト構成部材２３を第２面３２に接合させる構成にできる。本実施例で説明するように、第２面３２のうち矩形を構成する全ての辺の近傍を入射側ダクト構成部材２３に接合させることで、入射側ダクト構成部材２３と第２面３２とが接触する領域をできるだけ広く確保する。これにより、入射側防塵ガラス１３から入射側ダクト構成部材２３への熱の伝播を促進させ、入射側冷却用ダクト２１による効率的な放熱が可能となる。
【００２９】
また、図４に示すように、射出側防塵ガラス１４の第１面３３は、Ｙ軸に平行な二つの第１辺３７と、Ｚ軸に平行な二つの第２辺３８とからなる矩形形状をなしている。第１面３３は、Ｙ軸方向及びＺ軸方向のいずれについても、ＴＦＴ基板１２より大きい矩形形状をなしている。そのため、図中破線で示すように第１面３３にＴＦＴ基板１２を接合させると、第１面３３のうちＴＦＴ基板１２の周囲には、第１辺３７沿い及び第２辺３８沿いに、ある程度の幅を持たせた領域が残る。かかる領域には、射出側ダクト構成部材２４のうち、切り欠き部２６からなる開口の周囲の部分が接合される。このように、射出側ダクト構成部材２４は、射出側防塵ガラス１４の第１面３３のうち、第１辺３７の近傍及び第２辺３８の近傍に接合される。射出側ダクト構成部材２４と射出側防塵ガラス１４とは、互いの密着性を高めるために、例えば熱伝導グリスや熱伝導シート等を介して接合させることとしても良い。
【００３０】
なお、射出側ダクト構成部材２４は、第１辺３７の近傍及び第２辺３８の近傍のうちの少なくとも一部において第１面３３に接合されていれば良い。第１面３３は、Ｙ軸方向及びＺ軸方向の少なくとも一方についてＴＦＴ基板１２よりも大きい形状であれば、射出側ダクト構成部材２４を第１面３３に接合させる構成にできる。本実施例で説明するように、第１面３３のうち矩形を構成する全ての辺の近傍を射出側ダクト構成部材２４に接合させることで、射出側ダクト構成部材２４と第１面３３とが接触する領域をできるだけ広く確保する。これにより、射出側防塵ガラス１４から射出側ダクト構成部材２４への熱の伝播を促進させ、射出側冷却用ダクト２２による効率的な放熱が可能となる。
【００３１】
仮に、入射側防塵ガラス１３の第１面３１に入射側ダクト構成部材２３を接合させると、冷却風の流路において第１面３１の部分が凹みをなす構成となる。これに対して、本実施例では、入射側防塵ガラス１３の第２面３２に入射側ダクト構成部材２３を接合させることで、入射側防塵ガラス１３は、入射側冷却用ダクト２１のうち冷却風の流路に突出させて配置されることとなる（図２参照）。冷却風の流路に突出させて入射側防塵ガラス１３が配置されることにより、入射側防塵ガラス１３の第１面３１に入射側ダクト構成部材２３を接合させる場合に比べて、入射側冷却用ダクト２１を流動する冷却風を入射側防塵ガラス１３の表面に効率良く到達させることが可能となる。なお、入射側防塵ガラス１３は、入射側冷却用ダクト２１の内部に突出させて配置される場合に限られない。入射側防塵ガラス１３は、冷却風の流路において第１面３１の部分が凹みをなさないように配置されていれば良い。例えば、送風機の必要能力を低減させるために、入射側防塵ガラス１３は、入射側ダクト構成部材２３のうち冷却風を流動させる側の面と第１面３１とが互いに平坦となるように配置されても良い。この場合も、入射側防塵ガラス１３の表面に冷却風を効率良く到達させることができる。
【００３２】
液晶表示パネル１０のうち、熱源は、対向基板１１とＴＦＴ基板１２とを貼り合わせた部分となる。液晶表示パネル１０の熱源からの熱は、入射側防塵ガラス１３の表面から冷却風へ伝達される他、入射側防塵ガラス１３から入射側ダクト構成部材２３を経て、冷却風へ伝達される。入射側防塵ガラス１３の第２面３２に入射側ダクト構成部材２３を接合させる構成とすることで、入射側ダクト構成部材２３が第１面３１に接合される場合に比べて、熱源から入射側ダクト構成部材２３への伝熱経路を短くすることが可能となる。伝熱経路を短くできることで、入射側冷却用ダクト２１による効率的な放熱が可能となる。
【００３３】
射出側防塵ガラス１４の第１面３３に射出側ダクト構成部材２４を接合させることで、射出側防塵ガラス１４は、射出側冷却用ダクト２２のうち冷却風の流路に突出させて配置されることとなる。冷却風の流路に突出させて射出側防塵ガラス１４が配置されることにより、射出側防塵ガラス１４の第２面３４に射出側ダクト構成部材２４を接合させる場合に比べて、射出側冷却用ダクト２２を流動する冷却風を射出側防塵ガラス１４の表面に効率良く到達させることが可能となる。なお、射出側防塵ガラス１４は、射出側冷却用ダクト２２の内部に突出させて配置される場合に限られない。射出側防塵ガラス１４は、冷却風の流路において第２面３４の部分が凹みをなさないように配置されていれば良い。例えば、送風機の必要能力を低減させるために、射出側防塵ガラス１４は、射出側ダクト構成部材２４のうち冷却風を流動させる側の面と第２面３４とが互いに平坦となるように配置されても良い。この場合も、射出側防塵ガラス１４の表面に冷却風を効率良く到達させることができる。
【００３４】
また、液晶表示パネル１０の熱源からの熱は、射出側防塵ガラス１４の表面から冷却風へ伝達される他、射出側防塵ガラス１４から射出側ダクト構成部材２４を経て、冷却風へ伝達される。射出側防塵ガラス１４の第１面３３に射出側ダクト構成部材２４を接合させる構成とすることで、射出側ダクト構成部材２４が第２面３４に接合される場合に比べて、熱源から射出側ダクト構成部材２４への伝熱経路を短くすることが可能となる。伝熱経路を短くできることで、射出側冷却用ダクト２２による効率的な放熱が可能となる。これにより、液晶表示パネル１０を高い効率で冷却させることができるという効果を奏する。
【００３５】
入射側ダクト構成部材２３及び射出側ダクト構成部材２４は、高い熱伝導率の部材、例えばアルミニウムや銅等の金属部材を用いて構成されることが望ましい。これにより、特に、熱源から入射側ダクト構成部材２３又は射出側ダクト構成部材２４を経る放熱経路における熱抵抗が低くなり、放熱性能を高くすることが可能となる。入射側ダクト構成部材２３及び射出側ダクト構成部材２４は、いずれの部材を用いて構成しても良く、例えば樹脂部材等を用いて構成しても良い。
【００３６】
さらに、入射側偏光板１６を組み合わせて入射側冷却用ダクト２１を構成し、射出側偏光板１７を組み合わせて射出側冷却用ダクト２２を構成することにより、入射側偏光板１６及び射出側偏光板１７へも効率良く冷却風を進行させる。これにより、入射側偏光板１６及び射出側偏光板１７を高い効率で冷却することが可能となる。射出側冷却用ダクト２２は、光を射出させる側の開口を塞ぐ透明部材を設置し、冷却風を流動させる射出側冷却用ダクト２２内部に射出側偏光板１７を配置する構成としても良い。これにより、射出側偏光板１７をさらに冷却させることが可能となる。入射側冷却用ダクト２１も、光が入射する側の開口を塞ぐ透明部材を設置し、冷却風を流動させる入射側冷却用ダクト２１内部に入射側偏光板１６を配置する構成としても良い。これにより、入射側偏光板１６をさらに冷却させることが可能となる。
【００３７】
なお、電気光学装置１は、入射側偏光板１６、射出側偏光板１７を備える構成とする場合に限られない。電気光学装置１は、別途設けられる入射側偏光板や射出側偏光板と組み合わせて使用されるものであっても良い。この場合、入射側冷却用ダクト２１のうち光が入射する側の開口を塞ぐ透明部材と、射出側冷却用ダクト２２のうち光を射出させる側の開口を塞ぐ透明部材と、を設けることが望ましい。これにより、透明部材を組み合わせて入射側冷却用ダクト２１、射出側冷却用ダクト２２を構成する。
【００３８】
電気光学装置１は、Ｙ軸方向へ冷却風を進行させる冷却用ダクトを設ける場合に限られず、Ｚ軸方向へ冷却風を進行させる冷却用ダクトを設けることとしても良い。Ｚ軸方向へ冷却風を進行させるには、本実施例で説明する入射側冷却用ダクト２１及び射出側冷却用ダクト２２をＸ軸周りに９０度回転させた構成とする。さらに、電気光学装置１は、入射側冷却用ダクト２１と射出側冷却用ダクト２２との双方を備える構成に限られず、少なくとも一方を備えるものであれば良い。
【実施例２】
【００３９】
図６は、本発明の実施例２に係るプロジェクター５０の概略構成図である。プロジェクター５０は、スクリーン６９へ投写光を投写し、スクリーン６９で反射する光を観察することで画像を鑑賞するフロント投写型のプロジェクターである。プロジェクター５０は、実施例１で説明する電気光学装置１と同様に構成されたＲ光用電気光学装置５９Ｒと、Ｇ光用電気光学装置５９Ｇと、Ｂ光用電気光学装置５９Ｂとを備える。以下、実施例１と同様の部分には同一の符号を付して説明する。
【００４０】
光源部５１は、Ｒ光、Ｇ光、Ｂ光を含む光を射出する。光源部５１は、例えば、超高圧水銀ランプである。第１インテグレーターレンズ５２及び第２インテグレーターレンズ５３は、アレイ状に配列された複数のレンズ素子を有する。第１インテグレーターレンズ５２は、光源部５１からの光束を複数に分割する。第１インテグレーターレンズ５２の各レンズ素子は、光源部５１からの光束を第２インテグレーターレンズ５３のレンズ素子近傍にて集光させる。第２インテグレーターレンズ５３のレンズ素子は、第１インテグレーターレンズ５２のレンズ素子の像を液晶表示パネル１０（図１参照）に形成する。
【００４１】
偏光変換素子５４は、２つのインテグレーターレンズ５２、５３を経た光を特定の偏光方向の直線偏光に変換させる。重畳レンズ５５は、第１インテグレーターレンズ５２の各レンズ素子の像を液晶表示パネル１０の照射面上で重畳させる。第１インテグレーターレンズ５２、第２インテグレーターレンズ５３及び重畳レンズ５５は、光源部５１からの光の強度分布を液晶表示パネル１０の照射領域上にて均一化させる。
【００４２】
第１ダイクロイックミラー５６は、重畳レンズ５５から入射したＲ光を反射させ、Ｇ光及びＢ光を透過させる。重畳レンズ５５から入射したＲ光は、第１ダイクロイックミラー５６、反射ミラー５７でそれぞれ光路が折り曲げられ、Ｒ光用フィールドレンズ５８Ｒへ入射する。Ｒ光用フィールドレンズ５８Ｒは、反射ミラー５７からのＲ光を平行化させ、Ｒ光用電気光学装置５９Ｒへ入射させる。Ｒ光用電気光学装置５９Ｒは、Ｒ光を画像信号に応じて変調する。Ｒ光用電気光学装置５９Ｒで変調されたＲ光は、色合成光学系であるクロスダイクロイックプリズム６０へ入射する。
【００４３】
第２ダイクロイックミラー６１は、第１ダイクロイックミラー５６からのＧ光を反射させ、Ｂ光を透過させる。第１ダイクロイックミラー５６からのＧ光は、第２ダイクロイックミラー６１で光路が折り曲げられ、Ｇ光用フィールドレンズ５８Ｇへ入射する。Ｇ光用フィールドレンズ５８Ｇは、第２ダイクロイックミラー６１からのＧ光を平行化させ、Ｇ光用電気光学装置５９Ｇへ入射させる。Ｇ光用電気光学装置５９Ｇは、Ｇ光を画像信号に応じて変調する。Ｇ光用電気光学装置５９Ｇで変調されたＧ光は、クロスダイクロイックプリズム６０へ入射する。
【００４４】
第２ダイクロイックミラー６１を透過したＢ光は、リレーレンズ６２を透過した後、反射ミラー６３での反射により光路が折り曲げられる。反射ミラー６３からのＢ光は、さらにリレーレンズ６４を透過した後、反射ミラー６５での反射により光路が折り曲げられ、Ｂ光用フィールドレンズ５８Ｂへ入射する。
【００４５】
Ｒ光の光路及びＧ光の光路よりもＢ光の光路が長いことから、液晶表示パネル１０の照射領域における照明倍率を他の色光と等しくするために、Ｂ光の光路には、リレーレンズ６２、６４を用いるリレー光学系が採用されている。Ｂ光用フィールドレンズ５８Ｂは、反射ミラー６５からのＢ光を平行化させ、Ｂ光用電気光学装置５９Ｂへ入射させる。Ｂ光用電気光学装置５９Ｂは、Ｂ光を画像信号に応じて変調する。Ｂ光用電気光学装置５９Ｂで変調されたＢ光は、クロスダイクロイックプリズム６０へ入射する。
【００４６】
クロスダイクロイックプリズム６０は、互いに直交させて配置された２つのダイクロイック膜６６、６７を有する。第１ダイクロイック膜６６は、Ｒ光を反射させ、Ｇ光及びＢ光を透過させる。第２ダイクロイック膜６７は、Ｂ光を反射させ、Ｒ光及びＧ光を透過させる。クロスダイクロイックプリズム６０は、それぞれ異なる方向から入射したＲ光、Ｇ光及びＢ光を合成させ、投写レンズ６８の方向へ射出させる。投写レンズ６８は、クロスダイクロイックプリズム６０で合成された光をスクリーン６９の方向へ投写させる。
【００４７】
図７は、各色光用電気光学装置５９Ｒ、５９Ｇ、５９Ｂを冷却させるための冷却構造の平面概略構成図である。ファン７０は、冷却風を供給する冷却風供給部であって、例えばシロッコファンである。ファン７０は、プロジェクター５０の筐体外から空気を取り込み、各色光用電気光学装置５９Ｂ、５９Ｇ、５９Ｒの入射側冷却用ダクト２１及び射出側冷却用ダクト２２を流動させる冷却風を供給する。なお、冷却風供給部は、シロッコファンに限られず、冷却風を供給可能ないずれのものを用いても良い。
【００４８】
第１ダクト結合部７１及び第２ダクト結合部７２は、いずれも、電気光学装置の冷却用ダクト同士を結合させるダクト結合部である。第１ダクト結合部７１は、Ｒ光用電気光学装置５９Ｒの入射側冷却用ダクト２１及び射出側冷却用ダクト２２と、Ｇ光用電気光学装置５９Ｇの入射側冷却用ダクト２１及び射出側冷却用ダクト２２とを結合させる。第２ダクト結合部７２は、Ｇ光用電気光学装置５９Ｇの入射側冷却用ダクト２１及び射出側冷却用ダクト２２と、Ｂ光用電気光学装置５９Ｂの入射側冷却用ダクト２１及び射出側冷却用ダクト２２とを結合させる。
【００４９】
Ｒ光用電気光学装置５９ＲとＧ光用電気光学装置５９Ｇとは、液晶表示パネル１０の照射面の向きを略９０度異ならせて配置されている。Ｇ光用電気光学装置５９ＧとＢ光用電気光学装置５９Ｂとは、液晶表示パネル１０の照射面の向きを略９０度異ならせて配置されている。第１ダクト結合部７１及び第２ダクト結合部７２は、いずれも、冷却風の進行方向が略９０度変換されるように折り曲げられた流路をなす配管部品である。
【００５０】
第１ダクト結合部７１及び第２ダクト結合部７２は、いずれも、入射側冷却用ダクト２１から進入した冷却風と、射出側冷却用ダクト２２から進入した冷却風とが共通の流路を進行するように構成されている。この他、第１ダクト結合部７１及び第２ダクト結合部７２は、入射側冷却用ダクト２１から進入した冷却風と、射出側冷却用ダクト２２から進入した冷却風とが互いに別の流路を進行するように、内部を仕切る構成としても良い。
【００５１】
ファン７０からの冷却風は、Ｂ光用電気光学装置５９Ｂの入射側冷却用ダクト２１と射出側冷却用ダクト２２とへ供給される。Ｂ光用電気光学装置５９Ｂの入射側冷却用ダクト２１と射出側冷却用ダクト２２とを経た冷却風は、第２ダクト結合部７２を通過して、Ｇ光用電気光学装置５９Ｇの入射側冷却用ダクト２１と射出側冷却用ダクト２２とへ供給される。Ｇ光用電気光学装置５９Ｇの入射側冷却用ダクト２１と射出側冷却用ダクト２２とを経た冷却風は、第１ダクト結合部７１を通過して、Ｒ光用電気光学装置５９Ｒの入射側冷却用ダクト２１と射出側冷却用ダクト２２とへ供給される。Ｒ光用電気光学装置５９Ｒの入射側冷却用ダクト２１と射出側冷却用ダクト２２とを経た冷却風は、プロジェクター５０の筐体外へ放出される。このようにして、ファン７０から供給された冷却風は、各色光用電気光学装置５９Ｂ、５９Ｇ、５９Ｒを順次流動する。
【００５２】
プロジェクター５０は、各色光について設けられた光学素子の光軸（図６に示す一点鎖線）を含む面に対して平行に冷却風を進行させるように、入射側冷却用ダクト２１と射出側冷却用ダクト２２とが配置される。このような配置とすることで、第１ダクト結合部７１と第２ダクト結合部７２とを用いて、各色光用電気光学装置５９Ｒ、５９Ｇ、５９Ｂの入射側冷却用ダクト２１及び射出側冷却用ダクト２２を結合させる構成にできる。これにより、共通の流路で冷却風を流動させて、各色光用電気光学装置５９Ｒ、５９Ｇ、５９Ｂを冷却することができる。また、第１ダクト結合部７１及び第２ダクト結合部７２を介した放熱も可能となる。
【００５３】
第１ダクト結合部７１及び第２ダクト結合部７２は、いずれも、高い熱伝導率の部材、例えばアルミニウムや銅等の金属部材を用いて構成されることが望ましい。第１ダクト結合部７１及び第２ダクト結合部７２に高い熱伝導率を持たせることにより、第１ダクト結合部７１、第２ダクト結合部７２を経る放熱経路における熱抵抗を低くし、放熱性能を高くすることができる。実施例１と同様に構成された各色光用電気光学装置５９Ｒ、５９Ｇ、５９Ｂを用いることにより、液晶表示パネル１０、入射側偏光板１６、射出側偏光板１７の効率的な冷却を可能とする。液晶表示パネル１０、入射側偏光板１６、射出側偏光板１７の効率的な冷却により、液晶表示パネル１０、入射側偏光板１６、射出側偏光板１７の劣化を低減させる。また、効率的な冷却を可能とすることで、流動させる冷却風の風量を少なくでき、ファン７０の駆動音を少なくすることが可能となる。これにより、プロジェクター５０は、静音性に優れ、かつ高い信頼性を得ることができる。
【００５４】
光源部５１からの光に紫外線が含まれている場合、図６に示す光路において、紫外線がＢ光とともに進行する場合がある。各色光用電気光学装置５９Ｂ、５９Ｇ、５９Ｒのうち最初にＢ光用電気光学装置５９Ｂへファン７０からの冷却風を供給することで、紫外線の吸収による劣化を効果的に低減させることができる。なお、各色光用電気光学装置５９Ｂ、５９Ｇ、５９Ｒにおいて冷却風を流動させる順序は本実施例で説明する場合に限られず、適宜変更しても良い。第１ダクト結合部７１及び第２ダクト結合部７２は、金属部材を用いて構成する場合に限られず、他の部材、例えば樹脂部材等を用いて構成しても良い。
【００５５】
プロジェクター５０は、第１ダクト結合部７１及び第２ダクト結合部７２を設ける構成に限られず、少なくとも一つのダクト結合部を設ける構成であれば良く、ファン７０からの冷却風の経路のいずれの位置にダクト結合部を設けることとしても良い。例えば、プロジェクター５０は、ファン７０のうち冷却風の吹出口にダクト連結部を設けても良い。ファン７０の吹出口にダクト連結部を設けることにより、ファン７０を配置する位置や向きに応じて、冷却用ダクトへ冷却風を効率良く供給させる構成にできる。ダクト連結部の形状は、本実施例で説明するものに限られず、ファン７０や冷却用ダクトの配置に応じて適宜変形しても良い。
【産業上の利用可能性】
【００５６】
以上のように、本発明に係る電気光学装置は、プロジェクターに用いる場合に適している。
【符号の説明】
【００５７】
１０  液晶表示パネル、１１  対向基板、１２  ＴＦＴ基板、１３  入射側防塵ガラス、１４  射出側防塵ガラス、１５  フレキシブル基板、１６  入射側偏光板、１７  射出側偏光板、２１  入射側冷却用ダクト、２２  射出側冷却用ダクト、２３  入射側ダクト構成部材、２４  射出側ダクト構成部材、２５、２６  切り欠き部、３１、３３  第１面、３２、３４  第２面、３５、３７  第１辺、３６、３８  第２辺、４１、４３  第１構造体、４２、４４  第２構造体、５０  プロジェクター、５１  光源部、５２  第１インテグレーターレンズ、５３  第２インテグレーターレンズ、５４  偏光変換素子、５５  重畳レンズ、５６  第１ダイクロイックミラー、５７  反射ミラー、５８Ｒ  Ｒ光用フィールドレンズ、５８Ｇ  Ｇ光用フィールドレンズ、５８Ｂ  Ｂ光用フィールドレンズ、５９Ｒ  Ｒ光用電気光学装置、５９Ｇ  Ｇ光用電気光学装置、５９Ｂ  Ｂ光用電気光学装置、６０  クロスダイクロイックプリズム、６１  第２ダイクロイックミラー、６２、６４  リレーレンズ、６３、６５  反射ミラー、６６  第１ダイクロイック膜、６７  第２ダイクロイック膜、６８  投写レンズ、６９  スクリーン、７０  ファン、７１  第１ダクト結合部、７２  第２ダクト結合部
【図１】
2010286753.tif 000003
【図２】
2010286753.tif 000004
【図３】
2010286753.tif 000005
【図４】
2010286753.tif 000006
【図５】
2010286753.tif 000007
【図６】
2010286753.tif 000008
【図７】
2010286753.tif 000009